(57)【要約】【課題】携帯電話の印刷リクエスト専用キーを押すことによって印刷システムへデジタルイメージを送信、印刷することを可能にする。【解決手段】携帯電話装置１００は、印刷リクエスト専用キー１０２と、デジタルイメージを獲得するデジタルイメージ獲得アセンブリ１０４と、印刷リクエスト専用キーと動作的に通信し、携帯電話装置１００のユーザによる印刷リクエスト専用キー１０２の選択に応答して、少なくとも一つのデジタルイメージの印刷を開始させるプロセッサ１０６と、を備え、印刷システム２００は携帯電話装置１００からのデジタルイメージを受領するプロセッサ２０２と、デジタルイメージの少なくとも一つの色関連特性を分析するデジタルイメージ処理モジュール２１０と、デジタルイメージを印刷する印刷装置２０４と、を備える。【選択図】図２
2008301477.tif 000002
【特許請求の範囲】
【請求項１】
携帯電話装置であって、
印刷リクエスト専用キーと、
少なくとも一つのデジタルイメージを獲得するデジタルイメージ獲得アセンブリと、
前記印刷リクエスト専用キーと動作的に通信し、前記携帯電話装置のユーザによる前記印刷リクエスト専用キーの選択に応答して、前記少なくとも一つのデジタルイメージの印刷を開始させるプロセッサと、
を備える、携帯電話装置。
【請求項２】
請求項１に記載の携帯電話装置であって、
前記プロセッサが、前記印刷リクエスト専用キーの選択に応答して前記少なくとも一つのデジタルイメージを送信する送信指令がプログラムされた送信モジュールを含む携帯電話装置。
【請求項３】
請求項２に記載の携帯電話装置であって、
前記プロセッサが、サービス提供者の一つに対する支払い及び前記少なくとも一つのデジタルイメージを印刷するためのオーダ実行位置を有効にするために使用される、前記送信モジュールによって送信されることができる支払い関連情報がプログラムされた支払いモジュールをさらに含む携帯電話装置。
【請求項４】
印刷システムであって、
携帯電話装置からデジタルイメージを受領するように構成された少なくとも一つのプロセッサであって、前記少なくとも一つのプロセッサが、前記デジタルイメージの少なくとも一つの色関連特性を分析するデジタルイメージ処理モジュールを有している、少なくとも一つのプロセッサと、
前記デジタルイメージを印刷するためのデジタルイメージ印刷アセンブリを有する印刷装置と、
を備える、印刷システム。
【請求項５】
デジタルイメージを色校正及び印刷するための方法であって、
携帯装置の印刷リクエスト専用キーのユーザ選択後に、デジタルイメージを印刷システムによって受領するステップと、
前記デジタルイメージの色補正を行うかどうかを決定し、もし前記デジタルイメージの色補正をすると決定されたら、前記デジタルイメージの色補正を行うステップと、
前記デジタルイメージを印刷するステップと、
を包含する、方法。
【発明の詳細な説明】
【技術分野】
【０００１】
本開示は、携帯電話の分野に関しており、より具体的には、デジタルイメージをその印刷のために印刷システムに送信するための印刷リクエスト専用キーを有する携帯電話装置及びその印刷システム及び印刷方法に関している。印刷システムは、最適な印刷結果のために印刷に先立ってデジタルイメージの色校正を行うデジタルイメージ処理モジュールを含む。
【背景技術】
【０００２】
無線機能ならびにデジタルイメージを獲得し且つ記憶する能力を有するセルラー又は携帯無線電話を含む携帯電話装置は、ポピュラーである。デジタル静止イメージは一般的に、その静止イメージを再生又は印刷するために、ＵＳＢケーブルを介して又はワイヤレスで、コンピュータ装置又はプリンタのようなシステムに送信される。静止イメージをコンピュータ装置又はシステムに送信するためにＵＳＢケーブルを使用するとき、アプリケーションプログラムがプロセッサによって実行されて、携帯電話装置の内部に記憶されたデジタルイメージを送信して、コンピュータ装置又はシステムのメモリモジュール内に記憶することができる。ユーザはそれから、一つ又はそれ以上の送信されたデジタルイメージを印刷のために選択することができる。
【０００３】
デジタル静止イメージをワイヤレスでコンピュータ装置又はシステムに送信するとき、ユーザは、携帯電話装置のキーパッドを使用して携帯電話装置に電子メールアドレスを提供するか、又は携帯電話装置に以前に提供されたキーパッドを使用して電子メールアドレスを選択し、選択されたデジタルイメージを電子メール送信として、キーパッド上の送信（SEND）キーを押すことによって、その電子メールアドレスに送信する。デジタルイメージはそれから、コンピュータ装置又はシステムに接続されたプリンタを使用して、電子メール送信の受領者によって印刷されることができる。
【発明の開示】
【発明が解決しようとする課題】
【０００４】
印刷リクエスト専用キーを有し、その専用キーを押すことによって、一つ又はそれ以上の通信プロトコルを使用してその装置から印刷システムへユーザがデジタルイメージを送信することを可能にする携帯電話装置を提供することが、本開示の特徴である。
【０００５】
色処理及びフォーマットモジュールを有し、最適な印刷結果のために、携帯電話装置から受領したデジタルイメージを、そのデジタルイメージに対する色補正及び校正技法の適用を含む色処理及びフォーマットを行うことができる印刷システムを提供することもまた、本開示の特徴である。
【課題を解決するための手段】
【０００６】
本開示によれば、携帯電話装置が提供され、これは、印刷リクエスト専用キーと、少なくとも一つのデジタルイメージを獲得するデジタルイメージ獲得アセンブリと、前記印刷リクエスト専用キーと動作的に通信し、前記携帯電話装置のユーザによる前記印刷リクエスト専用キーの選択に応答して、前記少なくとも一つのデジタルイメージの印刷を開始させるプロセッサと、を有する。前記プロセッサは、前記デジタルイメージ獲得アセンブリによって獲得されたデジタルイメージを記憶するように構成されたメモリモジュールを含む。
【０００７】
前記プロセッサはさらに、前記印刷リクエスト専用キーの選択に応答して前記少なくとも一つのデジタルイメージを送信する送信指令がプログラムされた送信モジュールを含み、これが、送信信号を前記印刷リクエスト専用キーから前記プロセッサに送信させる。前記プロセッサはさらに、サービス提供者に対する支払い及び前記少なくとも一つの記憶されたデジタルイメージを印刷するためのオーダ実行位置を有効にするために使用される、前記送信モジュールによって送信されることができる支払い関連情報をプログラムされた支払いモジュールを含む。
【０００８】
前記サービス提供者は、前記携帯電話装置の現在の位置に最も近い実行位置を見出すために、位置ベースサービス（ＬＢＳ）を使用して選択されることができる。好適なサービス提供者はまた、前記送信モジュールが前記少なくとも一つの記憶されたデジタルイメージ及び前記支払い関連情報をプログラムされたサービス提供者に送信するように、ユーザによってプログラムされて前記メモリモジュール内に記憶されることもできる。
【０００９】
前記支払い関連情報は、前記サービス提供者が前記ユーザを識別し、前記サービス提供者によって維持される一つ又はそれ以上のルックアップテーブル又はその他のデータ構造を使用して、前記識別されたユーザを、前記少なくとも一つのデジタルイメージの印刷において使用するためのユーザの印刷の好み又は設定を含む対応する支払いソースに関連付けることを可能にするために、アカウント番号又は識別コードを含む。前記支払い関連情報はまた、課金されるべきクレジットカードに対応したクレジットカード情報及びデビットされるべき銀行口座に対応した銀行口座情報のような支払いソース情報を含み、前記サービス提供者に対する支払いを有効にする。
【００１０】
本開示の携帯電話装置は、タッチスクリーンディスプレーをさらに備えており、印刷リクエスト専用キーがタッチスクリーンディスプレーによって表示された仮想キーであってもよいし、送信モジュールが、印刷に先立って、少なくとも一つのデジタルイメージの色校正における使用のために、携帯電話装置の製造者及び型式を送信することとしてもよい。
【００１１】
本開示はさらに、前記サービス提供者によって維持され且つ操作される印刷システムを提供する。この印刷システムは、少なくとも一つのプロセッサと、携帯電話装置によって受領されたデジタルイメージを印刷するデジタルイメージ印刷アセンブリを有するカラープリンタのような印刷装置と、を含む。前記少なくとも一つのプロセッサは、前記デジタルイメージの一つ又はそれ以上の色関連特性を分析し、前記デジタルイメージ印刷アセンブリを使用して前記デジタルイメージを印刷する前に色校正アプリケーションプログラムを実行するかどうかを決定するデジタルイメージ処理モジュールを含む。
【００１２】
色校正アプリケーションプログラムが、前記少なくとも一つのプロセッサと動作的に通信するデータベース内に記憶された色校正ファクターを利用することが企図されている。前記携帯電話装置が、前記携帯電話装置の製造者及び型式を識別する少なくとも一つのプロセッサ情報を送信することが、さらに企図されている。前記データベースは、前記携帯電話装置の複数の製造者及び型式に対応する色校正ファクターを記憶している。前記少なくとも一つのプロセッサは、前記携帯電話装置の前記製造者及び型式に対応する前記色校正ファクターにアクセスし、それから、前記デジタルイメージの最適な印刷結果を得るように前記受領されたデジタルイメージを色校正するために、前記アクセスされた色校正ファクターを使用して前記色校正アプリケーションプログラムを実行する。
【００１３】
本開示の印刷システムは、少なくとも一つのプロセッサが、デジタルイメージを少なくとも一つの記憶されたデジタルイメージと比較して、その比較に基づいてデジタルイメージの色校正のレベルを決定することとしてもよいし、少なくとも一つのプロセッサがさらに、携帯電話装置からユーザの好みを受領するように構成されており、ユーザの好みが、印刷サイズ、フォーマットオプション、及びデジタルイメージの印刷数からなるグループから選択されるようにしてもよいし、少なくとも一つの登録された番号に対応する支払い情報を記憶したデータベースをさらに備えており、支払い情報が、印刷装置によるデジタルイメージの印刷に対する支払いを有効にするために使用されることとしてもよいし、少なくとも一つのプロセッサ及びデータベースの一つが、デジタルイメージの色校正及び印刷のためのコストを記憶していることとしてもよい。更に、印刷されたデジタルイメージを携帯装置のユーザに対応するアドレスに送達するステップをさらに含むようにしてもよい。
【発明の効果】
【００１４】
印刷リクエスト専用キーを押すことによって、その装置から印刷システムへユーザがデジタルイメージを送信することを可能にする携帯電話装置を提供することできる。また、色処理及びフォーマットモジュールを有し、携帯電話装置から受領したデジタルイメージを、そのデジタルイメージに対する色補正及び校正技法の適用を含む色処理及びフォーマットを行うことができる印刷システムを提供することができる。
【発明を実施するための最良の形態】
【００１５】
本開示は、印刷リクエスト専用キーと、少なくとも一つのデジタルイメージを獲得するためのデジタルイメージ獲得アセンブリと、印刷リクエスト専用キーと動作的に通信し、携帯電話装置のユーザによる印刷リクエスト専用キーの選択に応答して少なくとも一つのデジタルイメージの印刷を開始させるプロセッサと、を有する携帯電話装置を提供する。プロセッサは、デジタルイメージ獲得アセンブリによって獲得されたデジタルイメージを記憶するように構成されたメモリモジュールを含む。
【００１６】
プロセッサはさらに、印刷リクエスト専用キーの選択に応答して少なくとも一つのデジタルイメージを送信する送信指令がプログラムされた送信モジュールを含み、これが、送信信号を印刷リクエスト専用キーからプロセッサに送信させる。プロセッサはさらに、サービス提供者に対する支払い又は少なくとも一つのデジタルイメージを印刷するためにオーダ実行位置を有効にするために使用される、送信モジュールによって送信されることができる支払い関連情報がプログラムされた支払いモジュールを含む。
【００１７】
サービス提供者は、携帯電話装置の現在の位置に最も近い実行位置を見出すために、位置ベースサービス（ＬＢＳ）を使用して選択されることができる。好適なサービス提供者はまた、前記送信モジュールが前記少なくとも一つの記憶されたデジタルイメージ及び前記支払い関連情報を前もってプログラムされたサービス提供者に送信するように、ユーザによってプログラムされて前記メモリモジュール内に記憶されることもできる。
【００１８】
支払い関連情報は、サービス提供者がユーザを識別し、サービス提供者によって維持される一つ又はそれ以上のルックアップテーブル又はその他のデータ構造を使用して、識別されたユーザを、少なくとも一つのデジタルイメージの印刷において使用するためのユーザの印刷の好み又は設定を含む対応する支払いソースに関連付けることを可能にするために、アカウント番号又は識別コードを含む。支払い関連情報はまた、課金されるべきクレジットカードに対応したクレジットカード情報及びデビットされるべき銀行口座に対応した銀行口座情報のような支払いソース情報を含み、サービス提供者に対する支払いを有効にする。
【００１９】
本開示はさらに、サービス提供者によって維持され且つ操作される印刷システムを提供する。この印刷システムは、少なくとも一つのプロセッサと、携帯電話装置によって受領されたデジタルイメージを印刷するデジタルイメージ印刷アセンブリを有するカラープリンタのような印刷装置と、を含む。少なくとも一つのプロセッサは、デジタルイメージの一つ又はそれ以上の色関連特性を分析し、前記デジタルイメージ印刷アセンブリを使用してデジタルイメージを印刷する前に色校正アプリケーションプログラムを実行するかどうかを決定するデジタルイメージ処理モジュールを含む。
【００２０】
色校正アプリケーションプログラムが、少なくとも一つのプロセッサと動作的に通信するデータベース内に記憶された色校正ファクターを利用することが企図されている。携帯電話装置が、携帯電話装置の製造者及び型式を識別する少なくとも一つのプロセッサ情報を送信することが、さらに企図されている。データベースは、携帯電話装置の複数の製造者及び型式に対応する色校正ファクターを記憶している。少なくとも一つのプロセッサは、携帯電話装置の製造者及び型式に対応する前記色校正ファクターにアクセスし、それから、デジタルイメージの最適な印刷結果を得るように受領されたデジタルイメージを色校正するために、アクセスされた色校正ファクターを使用して色校正アプリケーションプログラムを実行する。
【００２１】
特に、図１を参照して、本開示に従った携帯電話装置の斜視図が示されており、一般的に参照番号１００が付けられている。装置１００は、デジタルイメージを、その印刷のために印刷システム２００（図２参照）に送信するための印刷リクエスト専用（ＰＲＤ）キー１０２を有している。
【００２２】
携帯電話装置１００はさらに、一つ又はそれ以上のデジタルイメージを獲得する（図３のステップ３００を参照）ためのデジタルイメージ獲得アセンブリ１０４と、印刷リクエスト専用キー１０２と動作的に通信し、携帯電話装置のユーザによる印刷リクエスト専用キーの選択に応答して少なくとも一つのデジタルイメージの印刷を開始させるプロセッサ１０６（図２参照）と、を含む。
【００２３】
プロセッサ１０６は、デジタルイメージ獲得アセンブリ１０４によって獲得されたデジタルイメージを記憶するように構成されたメモリモジュール１０８（図２参照）を含む。プロセッサ１０６はさらに、印刷リクエスト専用キーの選択に応答して少なくとも一つのデジタルイメージを送信する送信指令がプログラムされた送信モジュール１１０（図２参照）を含み、これが、送信信号を印刷リクエスト専用キー１０２からプロセッサ１０６に送信させる。
【００２４】
プロセッサ１０６はさらに、サービス提供者に対する支払い又は少なくとも一つの記憶されたデジタルイメージを印刷するためのオーダ実行位置を有効にするために使用される、送信モジュール１１０によって送信されることができる支払い関連情報がプログラムされた支払いモジュール１１２（図２参照）を含む。送信モジュール１１０及び支払いモジュール１１２の情報は、メモリモジュール１０８内に記憶されることができる。
【００２５】
図１において、印刷リクエスト専用キー１０２は、キーパッド１１４の複数のキーの一つであるとして示されている。印刷リクエスト専用キー１０２が装置１００のディスプレー１１６によって表示される仮想キーであることができて、この場合、ディスプレー１１６はタッチスクリーンディスプレーである。
【００２６】
キー１０２をタッチするか又は押すことによるキー１０２の選択（ステップ３０２）は、信号をプロセッサ１０６に送信させる。今度は、プロセッサ１０６は、送信モジュール１１０の送信指令を実行し、少なくとも一つのデジタルイメージ、並びに支払いモジュール１１２の支払い関連情報が、サービス提供者に送信される（ステップ３０４）。
【００２７】
サービス提供者は、携帯電話装置の現在の位置に最も近い実行位置を見出すために、位置ベースサービス（ＬＢＳ）を使用して選択されることができる。好適なサービス提供者はまた、送信モジュール１１０が少なくとも一つの記憶されたデジタルイメージ及び支払い関連情報を前もってプログラムされたサービス提供者に送信するように、ユーザによってプログラムされてメモリモジュール内に記憶されることもできる。
【００２８】
支払い関連情報は、サービス提供者がユーザを識別し、サービス提供者によって維持される一つ又はそれ以上のルックアップテーブル又はその他のデータ構造を使用して、識別されたユーザを、少なくとも一つのデジタルイメージの印刷において使用するためのユーザの印刷の好み又は設定を含む対応する支払いソースに関連付けることを可能にするために、アカウント番号又は識別コードを含む。支払い関連情報はまた、課金されるべきクレジットカードに対応したクレジットカード情報及びデビットされるべき銀行口座に対応した銀行口座情報のような支払いソース情報を含み、サービス提供者に対する支払いを有効にする。
【００２９】
図２を参照すると、本発明に従った例示的な印刷システム２００が示されており、これは、サービス提供者によって維持され且つ操作される。印刷システム２００は、少なくとも一つのプロセッサ２０２と、携帯電話装置１００から受領したデジタルイメージを印刷するためのデジタルイメージ印刷アセンブリ２０６を有するカラープリンタのような印刷装置２０４とを含む。少なくとも一つのプロセッサ２０２は、携帯電話装置１００からデジタルイメージを、ワイヤレス又は非ワイヤレス接続を介して受領するように構成されている。
【００３０】
少なくとも一つのプロセッサ２０２は、デジタルイメージの一つ又はそれ以上の色関連特性を分析し、デジタルイメージ印刷アセンブリ２０６を使用してデジタルイメージを印刷する前に色校正アプリケーションプログラムを実行するかどうかを決定する（ステップ３０６）デジタルイメージ処理モジュール２１０を含む。
【００３１】
色校正アプリケーションプログラムが、少なくとも一つのプロセッサ２０２と動作的に通信するデータベース２０８内に記憶された色校正ファクターを利用することが企図されている。携帯電話装置の送信モジュール１１０が、携帯電話装置１００の製造者及び型式を識別する少なくとも一つのプロセッサ２０２情報を送信することが、さらに企図されている。データベース２０８は、携帯電話装置の複数の製造者及び型式に対応する色校正ファクターを記憶している。少なくとも一つのプロセッサ２０２は、携帯電話装置１００の製造者及び型式に対応する前記色校正ファクターにアクセスし、それから、デジタルイメージの最適な印刷結果を得るように、受領されたデジタルイメージを色校正するために、アクセスされた色校正ファクターを使用して、色校正アプリケーションプログラムを実行する（ステップ３０８）。
【００３２】
あるいは又は付加的に、データベース２０８はデジタルイメージを記憶し、少なくとも一つのプロセッサ２０２は、受領されたデジタルイメージを一つ又はそれ以上の記憶されたデジタルイメージと比較して、その比較に基づいて、受領されたデジタルイメージに対する色補正のレベルを決定する。
【００３３】
印刷システム２００の少なくとも一つのプロセッサ２０２は、一連のプログラム指令を実行して、携帯電話装置１００から受領したデータを、デジタルイメージと支払い関連情報との間で解析（パース；parse）する。受領されたデータは、所望の印刷サイズ、フォーマットオプション、各デジタルイメージに対して印刷すべきデジタルイメージの数などのような、ユーザの好みを含むことができる。
【００３４】
ユーザの好みは、携帯電話装置１００によって実行されるアプリケーションプログラムを使用することによって、プログラムされることができる。ユーザの好みはまた、装置１００のキーパッド１１４及びディスプレー１１６（又は、ディスプレー１１６がタッチスクリーンディスプレーであればディスプレー１１６のみ）を使用して選択された印刷リクエスト専用キー１０２の引き続く選択であることもできる。ユーザの好み及び支払い情報がプログラムされてプロセッサ１０６のメモリモジュール１０８内に記憶されると、印刷リクエスト専用キー１０２の選択は、必要であれば色校正、及び印刷システム２００によるその印刷、及び引き続く印刷されたデジタルイメージのリクエストしている個人へのメール送付又は送達のために少なくとも一つのデジタルイメージの送信を開始するために、リクエストしている個人又はユーザによって実行されるべき唯一のアクション（すなわち、単一アクションデジタルイメージオーダ）である。
【００３５】
受領されたデータが少なくとも一つのプロセッサ２０２によってひとたび解析されると、デジタルイメージは（必要であれば、ステップ３０６によって決定されたように）色補正されて、印刷装置２０４のデジタルイメージ印刷アセンブリ２０６によって印刷されて（ステップ３１０）、支払い関連情報が少なくとも一つのプロセッサ２０２によってサービス提供者への支払いを有効にするために使用される（ステップ３１２）。印刷されたデジタルイメージは、それからリクエストしている個人に、サービス提供者によって維持されているデータベース内の記録のアドレスを使用して、送付又は送達される（ステップ３１４）。記録のアドレスは、携帯電話装置１００のユーザに対応するアドレスであることができる。
【００３６】
あるいは又は付加的に、支払い情報は、リクエスト者がサービス提供者の登録された番号であり且つこの情報を前もってサービス提供者に提供していると、印刷システム２００によって、データベース２０８内などに記憶される。そのため、支払い情報は印刷システム２００に送信されないが、代わりに、印刷ジョブリクエストがサービス提供者の登録された番号に対応する携帯電話装置から受領されるときには、少なくとも一つのプロセッサ２０２によってアクセスされる。
【００３７】
デジタルイメージを色補正し且つ印刷するための様々なコスト又は価格が、少なくとも一つのプロセッサ２０２のメモリモジュール又はデータベース２０８の内部に、固定され記憶されることができる。デジタルイメージの印刷コストはまた、デジタルイメージの印刷をリクエストしている個人の識別、携帯電話装置の製造者及び型式、支払い方法、印刷されるデジタルイメージの数、印刷されたデジタルイメージが送付されるべきアドレス、リクエストしている個人がサービス提供者の登録された番号であるかどうか、などのような、いくつかのファクターに基づいて可変であることもできる。
【図面の簡単な説明】
【００３８】
【図１】本開示に従ったデジタルイメージを印刷システムに送信するための印刷リクエスト専用キーを有する携帯電話装置の斜視図である。
【図２】本開示に従った印刷システムのブロック図である。
【図３】本開示に従ったデジタルイメージ印刷方法を実行するためのステップを描いたフローチャートである。
【符号の説明】
【００３９】
１００  携帯電話装置、１０２  印刷リクエスト専用キー、１０４  デジタルイメージ獲得アセンブリ、１０６  プロセッサ、１０８  メモリモジュール、１１０  送信モジュール、１１２  支払いモジュール、１１４  キーパッド、１１６  ディスプレー、２００ 印刷システム、２０２  プロセッサ、２０４  印刷装置、２０６  デジタルイメージ印刷アセンブリ、２０８  データベース、２１０  デジタルイメージ処理モジュール。
【図１】
2008301477.tif 000003
【図２】
2008301477.tif 000004
【図３】
2008301477.tif 000005